(57)【要約】      （修正有）【課題】使用頻度の多いものは操作性良く、使用頻度の少ないものは、操作性よりも全体の小型化を優先することができる電子機器を提供する。【解決手段】  メモリカード６と電池７が共に着脱可能であって、基板の一方の面に配置されたメモリカード６を収納するカード収納部１３と、電池７を保持可能な電池ホルダー８と、基板の他方の面にカード収納部１３と重なる位置に配置された電池ホルダー８を収納する電池収納部１２と、カード収納部１３と電池収納部１２に共通の蓋５を有し、基板またはカード収納部１３から遠い側の電池ホルダー８端部に引掛部８ａを形成したことを特徴とする。【選択図】  図６
2007165147.tif 000002
【特許請求の範囲】
【請求項１】
共に着脱可能なメモリカードと電池を有する電子機器であって、
基板の一方の面に配置された前記メモリカードを収納するカード収納部と、
前記電池を保持可能な電池ホルダーと、
前記基板の他方の面に前記カード収納部と重なる位置に配置された前記電池ホルダーを収納する電池収納部と、
前記カード収納部と電池収納部に共通の蓋を有し、
前記基板またはカード収納部から遠い側の前記電池ホルダー端部に引掛部を形成したことを特徴とする電子機器。
【発明の詳細な説明】
【技術分野】
【０００１】
本発明は、共に交換可能なメモリーカードと電池を使用する電子機器に関するものである。
【背景技術】
【０００２】
従来のカメラには、メモリカードと電池を共通の蓋の中の収納部に収納したものがある。特許文献１（図１、図２参照）によれば、カメラ本体底面に電池及びメモリカードの収納部があり、共通の底蓋４を開けるとメモリカード２と電池３がそれぞれ収納されている。メモリカードはカードスロット７に対していわゆるプッシュプッシュ方式で挿抜される。電池は電池室に収納されると電池ロック６により係止され、取り出し時には使用者がロックを解除して電池を取り出すようになっている。
【０００３】
また、従来から主電源としての電池とは別に、メモリーのバックアップ用に交換可能なボタン型の小型電池も使用されている。このバックアップ用電池は交換の頻度は約１年に一回程度と少ないものであるが、収納部は独自に設けられていることが多い。
【特許文献１】特開２００４−３２７２１６号公報
【発明の開示】
【発明が解決しようとする課題】
【０００４】
上述従来技術での電池はカメラを動作させるための主電源としての電池で、大きさはカードよりも大きく出し入れの頻度も多い。また、電池が大きいため底蓋も大きく、カードの挿抜、電池の出し入れともに指での操作に十分なスペースが確保されている。
【０００５】
しかしながら、電子機器は小型化が進み、より効率的なレイアウトが求められてきている。同時に、部品点数削減によるコストダウンの要求も強い。このような状況でさらに小型化を進めてゆくには、全体のスペースが小さいため全ての機能に対する操作部の操作性を最良のものとすることは出来ず、優先順位をつける必要が出てくる。この際、使用頻度の多いものはより操作性が良いことが望まれるが、使用頻度の少ないものは、操作性よりも全体の小型化が優先すると考えられる。
【課題を解決するための手段】
【０００６】
本発明の電子機器は、メモリカードと電池が共に着脱可能であって、基板の一方の面に配置された前記メモリカードを収納するカード収納部と、前記電池を保持可能な電池ホルダーと、前記基板の他方の面に前記カード収納部と重なる位置に配置された前記電池ホルダーを収納する電池収納部と、前記カード収納部と電池収納部に共通の蓋を有し、前記基板またはカード収納部から遠い側の前記電池ホルダー端部に引掛部を形成したことを特徴とする。
【発明の効果】
【０００７】
以上説明したように、本発明によれば、基板の表裏で重なる位置にカード収納部と電池収納部を配置するので効率的なレイアウトが可能で小型化に寄与する。また、カード収納部と電池収納部の蓋が共通なので部品点数の削減となりコストダウンとなる。さらに、カードホルダーから遠い側の電池ホルダー端部に交換用の引掛部を形成したので使用頻度の多いカードの出し入れ時の操作性を損なうことなく小型化が可能となる。
【発明を実施するための最良の形態】
【０００８】
以下、本発明を実施するための形態に関して説明する。
【実施例１】
【０００９】
図１は本発明を実施したビデオカメラの外観図で、１はレンズ部で撮影レンズとその焦点面に撮像素子が配置されている。２は録音部で内部にマイクエレメントが配置され音声を録音する。３はファインダー部で撮影中の被写体像あるいは再生中の画像を内部の液晶パネルに表示する。４はカセット蓋で内部に映像信号と音声の記録のためのテープデッキが配置されている。５は共通蓋で中にはカード収納部と電池収納部があり、カード出し入れ時あるいは電池交換時に開閉する。
【００１０】
図２は前記カード収納部と電池収納部に収納されるカード、電池ホルダー、電池と共通蓋を本体から取り出した状態を示した図である。共通蓋５は実際には本体から分離されることはなく、爪部５ａが本体に係止されて可撓部５ｂが曲がることで開口する。６はメモリーカードで静止画等を記録する。７は電池でボタン型をしており、本体内部のメモリーのバックアップ用の電源となる。８は電池ホルダーで前記電池７を保持して本体内部の電池収納部に挿抜される。電池ホルダー８には孔８ｂを有する引掛部８ａがあり、挿抜の際に爪やドライバーなどの工具を用いて引き出せるようになっている。
【００１１】
図３、図４は前記ビデオカメラ本体内部の前記カード収納部および前記電池収納部周辺の分解斜視図である。電池ホルダー８には電池受け部８ｃがあり電池７をこの部分で保持して一体として扱える。９は基板でビデオカメラの電気回路を構成する。１０はマイナス接片、１１はプラス接片で前記電池を装着するとそれぞれ電池のマイナス極、プラス極に圧接してバックアップの電源となる。１２は電池収納部を構成する電池ケースで基板側と共通蓋側に開口のある枠状の形状で内側に前記電池ホルダーを収納する収納部１２ａを有し、基板の板端部に固定されている。図３では電池ホルダー８が電池ケース１２に収納された状態を示し、図４では分解された状態を示している。１３はカード収納部を構成するカードソケットで前記カードの接片との圧接コネクタを有し前記基板の板端部の前記電池収納部の反対側に実装されている。図３では前記メモリーカード６がカードソケット１３に収納された状態を示し、図４では取り出した状態を示している。前記電池ケースと前記カードソケットは基板の両側で重なる位置に配置されており開口が近接していて、蓋を共通化するのに適した配置となっている。
【００１２】
図５は本体組立状態での、基板板端部の電池収納部、カード収納部の断面図である。基板９の紙面上側にカード収納部を構成するカードソケット１３が固定され、その中にメモリーカード６が収納されている。基板９の紙面下側には電池収納部を構成する電池ケース１２が固定され、その中に電池７を保持した電池ホルダー８が収納されている。電池収納状態でマイナス接片１０は図５で電池の上側（基板側）中央部となる電池のマイナス極に圧接している。プラス接片１１は電池の外周部となる電池のプラス極に圧接している。図５では共通蓋５は閉じられていて、メモリーカード６、電池ホルダー８の不用意な脱落を防いでいる。
【００１３】
図６は共通蓋５を開けてメモリーカードを取り出そうとする際の図である。共通蓋５は開けると図示していない可撓部５ｂが曲がることで図６に示す開いた状態となる。カードソケット１３へのメモリーカード６の出し入れはいわゆるプッシュプッシュ式となっている。挿入時には指１４でカードをカードソケット内に押し込み、抜き取り時にはもう一度カードを深く押し込むことでカードが出てくるようになっている。電池ホルダー８の引掛部８ａは電池ホルダー端部のカード収納部から遠い側に形成されており、指でカードを押す際に邪魔にならない位置にある。電池ホルダーの引掛部８ａには孔８ｂが開けてあり、電池交換の際にはここに爪やドライバーなどの工具を入れて電池ホルダーを取り出すことが出来る。このようにすることでカード交換は容易に行うことができる。ビデオカメラの使用状態に於いて、メモリーカードは静止画の記録、再生に用いられ複数のカードとの交換も頻繁に行われるのに対して、バックアップ用の電池は通常約１年に一回の交換サイクルで、カードに比べてその交換頻度は非常に少ない。そこで、使用頻度の多いカード交換に対しては操作性を優先しスペースを確保する。使用頻度の少ないバックアップ用電池の交換の場合は、操作性よりもカメラ全体の小型化のほうがより使用者にとってメリットがあるので、前記共通蓋の中で電池ホルダーの引掛部はカード収納部の反対側に形成してある。
【図面の簡単な説明】
【００１４】
【図１】本発明を実施したビデオカメラの外観図
【図２】カードと電池ホルダーと電池を本体から取り出した状態を示した図
【図３】ビデオカメラ本体内部のカード収納部および電池収納部周辺の分解斜視図
【図４】ビデオカメラ本体内部のカード収納部および電池収納部周辺の別の分解斜視図
【図５】本体組立状態での、基板板端部の電池収納部、カード収納部の断面図
【図６】共通蓋を開けてメモリーカードを取り出す状態の図
【符号の説明】
【００１５】
１  レンズ部
２  録音部
３  ファインダー部
４  カセット蓋
５  共通蓋
６  メモリーカード
７  電池
８  電池ホルダー
９  基板
１０  マイナス接片
１１  プラス接片
１２  電池ケース（電池収納部）
１３  カードソケット（カード収納部）
【図１】
2007165147.tif 000003
【図２】
2007165147.tif 000004
【図３】
2007165147.tif 000005
【図４】
2007165147.tif 000006
【図５】
2007165147.tif 000007
【図６】
2007165147.tif 000008